(57)【特許請求の範囲】
【請求項１】
メモリーカードとの接触部を有するコンタクトと、このコンタクトが保持・固定されるブロックと、このブロックを覆うとともにメモリーカードをブロックの嵌合口へガイドするガイド部を有するシェルと、このシェルに摺動可能に保持されると共に一方端にイジェクターとの係止部を有しもう一方に回動可能なボタン部が装着された本体と前記ボタン部とから構成されたイジェクトレバーと、このイジェクトレバーと係合しイジェクトレバーの摺動によりメモリーカードを抜去するイジェクターと、前記イジェクトレバーのほぼ中央部にイジェクトレバーを復帰させるバネとからなるメモリーカード用コネクタにおいて、
前記イジェクトレバーの本体とボタン部との連結部付近の前記イジェクトレバーの本体には、前記イジェクトレバーをメモリーカード挿入方向に押し込んだ際に、前記イジェクトレバーの本体とボタン部との連結部付近の略クランク状に折り曲がった部分を補強するための突起を設けることを特徴とするメモリーカード用コネクタ。
【発明の詳細な説明】
【０００１】
【発明の属する技術分野】
本発明は、電気機器内や電子機器内の回路基板に取り付けられるメモリーカード用コネクタに関するもので、特にイジェクトレバーの強度アップに関するものである。
【０００２】
【従来の技術】
図に基づいて従来のメモリーカード用コネクタについて説明する。
図５は、従来のメモリーカード用コネクタ７０の斜視図である。従来のメモリカード用コネクタ７０は、主にコンタクト５２とブロック１２とシェル１４とイジェクトレバー６０とイジェクター１８とバネ２０とから構成されている。
前記コンタクト５２は金属製であり、公知技術のプレス加工により製作されており、前記ブロック１２に圧入等に固定されている。
このブロック１２は電気絶縁性のプラスチックであり、一般的に公知技術の成形加工によって製作されている。このブロック１２には、メモリカード（図示せず）が挿入される嵌合口２２が設けられており、また、幅方向両側には基板（図示せず）に取付るためのフランジ部４２が設けられている。このブロック１２は、シェル１４といっしょに基板にシェル１４のフランジ４４及びブロック１２のフランジ部４２とのネジ止めとシェル１４のロック片３４によって固定されている。
【０００３】
このシェル１４は金属製であり、公知技術のプレス加工によって作成されている。このシェル１４は、ブロック１２を覆うように固定されており、ブロック１２のフランジ部４２に対応した位置にフランジ４４が設けられている。このフランジ４４には、貫通孔が設けられており、この貫通孔にネジ又はロックピンを通して基板に固定している。これと同様にシェル１４にはロック片３４が設けられており、基板に仮固定された後にリフロー等により半田付けされる。また、シェル１４には、ブロック１２の幅方向両側から突出するようにメモリーカードをブロック１２の嵌合口２２まで導くガイド部２４が設けられている。
また、シェル１４には、イジェクトレバー６０を摺動可能に固定する爪２６・２６が厚み方向両側に設けられている。
バネ２０を位置決めするストッパー片４６が設けられている。
【０００４】
イジェクトレバー６０は、金属製の本体６２とプラスチック製のボタン部２８とから構成されている。本体６２は公知技術のプレス加工によって作成され、ボタン部２８は公知技術の成形加工によって作成され、ボタン部２８は本体６２にピンを圧入することなどにより回動可能に固定されている。ボタン部２８と反対の自由端側には、イジェクター１８の係合部３８と係合する係止部３６が設けられている。このイジェクトレバー６０はメモリーカードの挿入方向に摺動可能になっている。
イジェクター１８も金属製であり公知技術のプレス加工によって製作され、かつ、イジェクター１８はシェル１４にカシメ等によって固定されると共にシェル１４から浮かないように引っかけ部１９に引っかけられており、一方端側にはイジェクトレバー６０の係止部３６と係合する係合部３８を有し、もう一方端側にはメモリーカードを押し上げる押し上げ部を有している。イジェクター１８は、イジェクトレバー６０と係合することで、イジェクトレバー６０の嵌合方向へ摺動する動きをメモリーカードを抜去する動きに代えている。
バネ２０は、イジェクトレバー６０の段部３７とシェル１４のストップ片４６の間に、イジェクトレバー６０に係合している。このバネ２０の役割は、イジェクトレバー６０を嵌合方向に摺動させることでメモリーカードを抜去した後、イジェクトレバー６０が自動で嵌合方向と反対側に復帰するためのものである。
【０００５】
メモリーカードの抜去方法について説明する。
イジェクトレバー６０のボタン部２８を垂直に立てて、ボタン部２８をブロック１２の嵌合口２２方向へ押し込むと、イジェクトレバー６０とイジェクター１８が係合しているので、シェル１４のカシメ部１５を支点にして、イジェクトレバー６０の直線運動を回転運動に替えて、イジェクター１８の押し上げ部でメモリーカードを押し上げブロック１２から抜去している。抜去後、ボタン部２８への外力を取り除くとバネ２０の反力によってイジェクトレバー６０は基の位置に戻される。
【０００６】
【発明が解決しようとする課題】
上述のような構造では、メモリーカードを抜去する際にはイジェクトレバー６０を嵌合口２２方向へ押し込むことになる。すると、イジェクトレバー６０の本体６２のボタン部２８との連結付近が略クランク状に曲がっているために、ボタン部２８に外力を加え押した際にクランク部分に外力が集中するので、クランク部分が変形してしまうといった解決すべき課題があった。
その為、１回変形してしまうと手直しすることが出来ず、イジェクトレバー６０自体を取り替えなければならないとった問題点があった。
【０００７】
本発明は、メモリカードを抜去する際にイジェクトレバーが変形することのないメモリーカード用コネクタを提供することを目的としている。
【０００８】
【課題を解決するための手段】
上記目的は、メモリーカードとの接触部を有するコンタクト５２と、このコンタクト５２が保持・固定されるブロック１２と、このブロック１２を覆うとともにメモリーカードをブロック１２の嵌合口２２へガイドするガイド部２４を有するシェル１４と、このシェル１４に摺動可能に保持されると共に一方端にイジェクター１８との係止部３６を有しもう一方に回動可能なボタン部２８が装着された本体３２と前記ボタン部２８とから構成されたイジェクトレバー１６と、このイジェクトレバー１６と係合しイジェクトレバー１６の摺動によりメモリーカードを抜去するイジェクター１８と、前記イジェクトレバー１６のほぼ中央部にイジェクトレバー１６を復帰させるバネ２０とからなるメモリーカード用コネクタ１０において、前記イジェクトレバー１６の本体３２とボタン部２８との連結部付近の前記イジェクトレバー１６の本体３２には、前記イジェクトレバー１６をメモリーカード挿入方向に押し込んだ際に、前記イジェクトレバー１６の本体３２とボタン部２８との連結部付近の略クランク状に折り曲がった部分を補強するための突起３０を設けることを特徴とするメモリーカード用コネクタ。
【０００９】
【発明の実施の形態】
図に基づいて本発明のメモリーカード用コネクタについて説明する。
図１は、本発明のメモリーカード用コネクの斜視図である。図２は、ブロック１２を除いたシェル１４とイジェクトレバー１６とイジェクター１８を組立た斜視図である。図３は、イジェクトレバー１６の斜視図であり、図４はブロック１２の斜視図である。
本発明のメモリカード用コネクタ１０は、主にコンタクト５２とブロック１２とシェル１４とイジェクトレバー１６とイジェクター１８とバネ２０とから構成されている。
【００１０】
まず、本発明のポイント部分であるイジェクトレバー１６について説明する。イジェクトレバー１６は、金属製の本体３２とプラスチック製のボタン部２８とから構成されている。従来同様に、本体３２は公知技術のプレス加工によって作成され、ボタン部２８は公知技術の成形加工によって作成されている。本体３２の材質としては、剛性が要求されるので、ステンレスなどが考えられ、ボタン部２８の材質としては、寸法安定性や耐熱性が要求されるので、ＬＣＰ（液晶ポリマー）やＰＰＳ（ポリフェニレンサルファイド）や４６ＰＡ（４６ナイロン）などが挙げられます。このイジェクトレバー１６はメモリーカードの挿入方向に摺動可能に固定されている。前記ボタン部２８と反対の自由端側には、イジェクター１８の係合部３８と係合する略Ｔ字形状の係止部３６が設けられている。前記イジェクトレバー１６の本体３２のボタン部２８側には、幅方向両側に補強としての突起３０が設けられている。この突起部３０は、イジェクトレバー１６をメモリーカード挿入方向に押し込んだ際の略クランク状に折り曲がった部分を補強するためのものである。この突起３０の大きさは、上記役割を考えると自由端が本体３２に接触する程度あった方がよく、幅もクランクの段差分程度あった方がよい。前記ボタン部２８は、略Ｕ字状に折り曲げられた本体３２にカシメ等により回動可能に固定されている。また、本体３２のほぼ中央部には幅方向の寸法が変化する段部３７が設けられており、この段部３７はバネ２０を保持する部分である。
【００１１】
次に、イジェクター１８について説明する。イジェクター１８は、金属製であり公知技術のプレス加工によって製作され、かつ、イジェクター１８はシェル１４にカシメ等によって固定されると共にシェル１４から浮かないように引っかけ部１９に引っかけられている。このイジェクター１８の材質としては、剛性が要求されるので、ステンレスなどを挙げることができる。また、イジェクター１８は概略板状片であるが、一方自由端側にはイジェクトレバー１６の係止部３６と係合する略コ字形状に曲げられた係合部３８を有し、もう一方端側にはメモリーカードを押し上げる略Ｊ字形状に曲げられた押し上げ部を有している。イジェクター１８は、イジェクトレバー１６と係合することで、イジェクトレバー１６の嵌合方向へ摺動する動きをシェル１４とのカシメ部１５を支点にしてメモリーカードを抜去する動きに代えている。即ち、前記押し上げ部でメモリカードの端面をイジェクトレバー１６が押し込まれた方向と反対側に押し出している。
【００１２】
次に、シェル１４について説明する。
このシェル１４は金属製であり、公知技術のプレス加工によって作成されている。このシェル１４の材質としては、剛性が要求されるので、ステンレスなどを挙げることができる。このシェル１４は、ブロック１２を覆うように固定されており、ブロック１２のフランジ部４２に対応した位置にフランジ４４が設けられている。このフランジ４４には、貫通孔が設けられており、この貫通孔にネジ又はロックピンを通して基板に固定している。これと同様にシェル１４にはメモリーカード挿入方向側にロック片３４が設けられており、基板に仮固定された後にリフロー等により半田付けされる。このロック片３４の上方には舌片３５が設けられており、この舌片３５とロック片３４とでメモリカードの静電気をグランドさせる働きをしている。
また、シェル１４には、ブロック１２の幅方向両側から突出するようにメモリーカードをブロック１２の嵌合口２２まで導くガイド部２４が設けられている。
また、シェル１４には、イジェクトレバー６０を摺動可能に固定する略コ字に曲げられた爪２６・２６が厚み方向両側に設けられている。爪２６・２６の位置は、上下の位置をイジェクトレバー１６の安定させるために幾分ずらしている。
なお、イジェクトレバー１６の段部３７とでバネ２０を位置決め・固定するストッパー片４６が設けられている。
【００１３】
次に、バネ２０について説明する。
このバネ２０は、イジェクトレバー１６の段部３７とシェル１４のストップ片４６の間で、イジェクトレバー１６に係合している。このバネ２０の役割は、イジェクトレバー１６を嵌合方向に摺動させることでメモリーカードを抜去した後、イジェクトレバー１６が自動で嵌合方向と反対側に復帰するためのものである。
このような役割を満足すれば如何なるものでもよく、つる巻きバネや板バネなどの弾性体が考えられる。
【００１４】
次に、コンタクト５２とブロック１２について説明する。
前記コンタクト５２は金属製であり、公知技術のプレス加工により製作されており、前記ブロック１２に圧入等に固定されている。このコンタクト５２の材質としては、導電性やバネ性などが要求されるので、黄銅やリン青銅やベリリウム銅などが挙げられる。
このブロック１２は電気絶縁性のプラスチックであり、一般的に公知技術の成形加工によって製作されている。このブロック１２の材質としては、耐熱性や成形性や低コストが要求されるので、ポリブチレンテレフタレート（ＰＢＴ）・ポリアミド（ＰＡ）・ポリフェニレンサルファイド（ＰＰＳ）・液晶ポリマー（ＬＣＰ）等が使用されることが多い。このブロック１２には、メモリカード（図示せず）が挿入される嵌合口２２が設けられており、また、幅方向両側には基板（図示せず）に取付るためのフランジ部４２が設けられている。このブロック１２は、シェル１４といっしょに基板にシェル１４のフランジ４４及びブロック１２のフランジ部４２とのネジ止めとシェル１４のロック片３４によって固定されている。
メモリカードの抜去方法は、従来と同様に行われる。
【００１５】
【発明の効果】
本発明は、上述の構造をとることで、以下のような顕著な効果を得ることができる。
（１）前記イジェクトレバー１６の本体３２とボタン部２８との連結部付近の前記イジェクトレバー１６の本体３２には、前記イジェクトレバー１６をメモリーカード挿入方向に押し込んだ際に、前記イジェクトレバー１６の本体３２とボタン部２８との連結部付近の略クランク状に折り曲がった部分を補強するための突起３０を設けているので、メモリーカードを抜去する際にイジェクトレバー１６を押し込んでも、イジェクトレバー１６が変形することがなくなった。
（２）イジェクトレバー１６が変形することがなくなったので、イジェクトレバー１６を交換する必要もなくなった。
（３）イジェクトレバー１６が変形することがなくなったので、安定したメモリーカードの挿抜を行うことが出来るようになった。
【図面の簡単な説明】
【図１】本発明のメモリカード用コネクタの斜視図である。
【図２】ブロック１２を除いたシェル１４とイジェクトレバー１６とイジェクター１８を組立た斜視図である。
【図３】イジェクトレバー１６の斜視図である。
【図４】ブロック１２の斜視図である。
【図５】従来のメモリーカード用コネクタの斜視図である。
【符号の説明】
１０、７０              メモリーカード用コネクタ
１２                    ブロック
１４                    シェル
１５                    カシメ部
１６、６０              イジェクトレバー
１７                    引っかかり部
１８                    イジェクター
２０                    バネ
２２                    嵌合口
２４                    ガイド部
２６                    ツメ
２８                    ボタン部
３０                    突起
３２、６２              本体
３４                    ロック片
３５                    舌片
３６                    係止部
３７                    段部
３８                    係合部
４０                    孔
４２                    フランジ部
４４                    フランジ
４６                    ストップ片
５０                    ピンコネクタ
５２                    コンタクト
【図１】
0004125846.tif 000002
【図２】
0004125846.tif 000003
【図３】
0004125846.tif 000004
【図４】
0004125846.tif 000005
【図５】
0004125846.tif 000006